(57)【要約】【課題】携帯端末機のスリム化及び小型化、デザインの洗練化などが非常に容易で、強度の弱い部分がなく、急回転及び急停止を防止することができ、比較的重量が大きかったり大型の携帯端末機にも適した携帯端末機用ヒンジ式蓋開閉装置を提供すること。【解決手段】本発明は、一定の間隔をおいて設けられる一対のヒンジ軸と、ヒンジ軸に長さ方向に沿って一定の間隔をおいて固定設置されて、ヒンジ軸が互いの周囲を回転するように案内する一対以上の案内部材と、ヒンジ軸に長さ方向に沿って一定の間隔をおいて設けられて、ヒンジ軸を一定の角度範囲内で自動で回転運動させる１つ以上のカム作動部とを含む携帯端末機用ヒンジ式蓋開閉装置を提供する。【選択図】図５
2010518774.tif 000002
【特許請求の範囲】
【請求項１】
一定の間隔をおいて設けられる一対のヒンジ軸と、前記ヒンジ軸に長さ方向に沿って一定の間隔をおいて固定設置されて、前記ヒンジ軸が互いの周囲を回転運動するように案内する一対以上の案内部材と、前記ヒンジ軸に長さ方向に沿って一定の間隔をおいて設けられて、前記ヒンジ軸を一定の角度範囲内で互いの周囲を自動で回転運動させる１つ以上のカム作動部とを含み、前記カム作動部は、前記案内部材のうちの少なくともいずれか１つに一体に回転可能に設けられる１つ以上の回転カムと、前記ヒンジ軸に長さ方向に沿って一定の間隔をおいて移動可能に設けられて、前記回転カムとそれぞれ互いに接して密着する１つ以上の移動カムと、前記移動カムと回転カムとが常に互いに接して密着するように前記移動カムに力を加える１つ以上の弾性部材とを含む、携帯端末機用ヒンジ式蓋開閉装置。
【請求項２】
前記案内部材は二対に構成されて、前記ヒンジ軸の両端にそれぞれ固定設置される、請求項１に記載の携帯端末機用ヒンジ式蓋開閉装置。
【請求項３】
前記カム作動部は一対に構成されて、前記ヒンジ軸の両側に互いに対称をなすように設けられる、請求項１に記載の携帯端末機用ヒンジ式蓋開閉装置。
【請求項４】
前記カム作動部の移動カムと互いに前記弾性部材を介在して弾性部材の弾性力を支持する支持部材がさらに設けられ、前記支持部材は、前記ヒンジ軸に長さ方向に沿って一定の間隔をおいて設けられて、前記ヒンジ軸がそれぞれ貫通して設けられる一対の水平部と、前記水平部と「コ」字型をなすように水平部の一側端部を互いに連結して固定する垂直部とから構成され、前記ヒンジ軸の外周面には、円周に沿って扇形状に突出して形成される一対の係止片がそれぞれ突出して形成され、前記支持部材の水平部のうちの１つには、前記係止片の両端角部の間に突出されるように一対の停止突起がそれぞれ形成される、請求項１に記載の携帯端末機用ヒンジ式蓋開閉装置。
【請求項５】
前記案内部材とカム作動部とを一定の間隔をおいて外部から囲んで覆うケース部材をさらに含む、請求項１に記載の携帯端末機用ヒンジ式蓋開閉装置。
【請求項６】
前記ヒンジ軸を携帯端末機の本体と蓋とにそれぞれ固定する一対の固定部材をさらに含み、前記固定部材は、互いに一定の間隔をおいて形成される一対のヒンジ連結部と、前記ヒンジ連結部とほぼ「コ」字型をなすようにヒンジ連結部の一側端部を互いに連結する固定部とから構成される、請求項１に記載の携帯端末機用ヒンジ式蓋開閉装置。
【請求項７】
前記案内部材は、前記ヒンジ軸に中心部がそれぞれ固定される歯車を使用して構成され、前記カム作動部の弾性部材は、前記ヒンジ軸の外周面の周囲に螺旋形に巻かれるように形成して設けられる圧縮コイルスプリングを使用して構成される、請求項１乃至６のいずれかに記載の携帯端末機用ヒンジ式蓋開閉装置。
【請求項８】
前記カム作動部の移動カムと互いに前記弾性部材を介在して弾性部材の弾性力を支持する支持部材がさらに設けられ、前記ヒンジ軸は、長さ方向に沿って一定の間隔をおいて設けられて、前記支持部材によって対向する側の端部がそれぞれ回転可能な状態に連結される左ヒンジ軸と右ヒンジ軸とからそれぞれ構成され、前記案内部材は二対に構成されて、前記左ヒンジ軸及び右ヒンジ軸にそれぞれ固定設置され、前記カム作動部は一対に構成されて、前記左ヒンジ軸と右ヒンジ軸とに互いに対称をなすように設けられる、請求項１に記載の携帯端末機用ヒンジ式蓋開閉装置。
【請求項９】
前記案内部材とカム作動部とを一定の間隔をおいて外部から囲んで覆うケース部材をさらに含む、請求項８に記載の携帯端末機用ヒンジ式蓋開閉装置。
【請求項１０】
前記左ヒンジ軸と右ヒンジ軸との互いに対向する反対方向の端部がそれぞれ連結固定されて、携帯端末機の本体と蓋とにそれぞれ固定する一対の固定部材をさらに含む、請求項８に記載の携帯端末機用ヒンジ式蓋開閉装置。
【請求項１１】
前記固定部材は、一定の間隔をおいて形成される一対のヒンジ連結部と、前記ヒンジ連結部とほぼ「コ」字型をなすようにヒンジ連結部の一側端部を互いに連結する固定部とから構成される、請求項１０に記載の携帯端末機用ヒンジ式蓋開閉装置。
【請求項１２】
前記支持部材は、一定の間隔をおいて設けられて、前記左ヒンジ軸と右ヒンジ軸とがそれぞれ貫通して設けられる一対の水平部と、前記一対の水平部の間に形成されて、前記左ヒンジ軸と右ヒンジ軸との互いに対向する端部がそれぞれ回転可能に挿入される挿入孔が形成される水平支持部と、前記水平部及び水平支持部とほぼ「コ」字型をなすように水平部及び水平支持部の一側端部を互いに連結して固定する垂直部とから構成される、請求項８に記載の携帯端末機用ヒンジ式蓋開閉装置。
【請求項１３】
前記左ヒンジ軸と右ヒンジ軸とが前記水平部との結合状態を維持するように左ヒンジ軸及び右ヒンジ軸に一対の支持環がそれぞれ設けられる、請求項１２に記載の携帯端末機用ヒンジ式蓋開閉装置。
【請求項１４】
前記左ヒンジ軸と右ヒンジ軸とのうちの少なくとも１つの外周面には、円周に沿って扇形状に突出して形成される一対の係止片がそれぞれ突出して形成され、前記支持部材の水平部のうちの少なくとも１つには、前記係止片の両端角部の間に突出されるように一対の停止突起がそれぞれ形成される、請求項１２に記載の携帯端末機用ヒンジ式蓋開閉装置。
【請求項１５】
前記案内部材は、前記左ヒンジ軸及び右ヒンジ軸に中心部がそれぞれ固定される歯車を使用して構成され、前記カム作動部の弾性部材は、前記左ヒンジ軸及び右ヒンジ軸の外周面の周囲に螺旋形に巻かれるように形成して設けられる圧縮コイルスプリングを使用して構成される、請求項８乃至１４のいずれかに記載の携帯端末機用ヒンジ式蓋開閉装置。
【発明の詳細な説明】
【技術分野】
【０００１】
本発明は、携帯端末機用ヒンジ式蓋開閉装置に関し、より詳しくは、携帯端末機の厚さを容易に減少させることができ、蓋の開閉時に急回転を防止することができるように構成された携帯端末機用ヒンジ式蓋開閉装置に関するものである。
【背景技術】
【０００２】
一般に、固定された位置ではない場所で移動中に通信及び放送などのサービスを無線で利用するためには、携帯電話、ＰＤＡ、ノートパソコン、ＤＭＢホンなどの携帯端末機が多く使用されている。
【０００３】
前記携帯端末機は、情報化時代にあいまった生活の便宜性を享受するためになくてはならない重要な必需品のうちの１つとして認識されており、特に、携帯電話の場合、小中高生から老人などに至るまで、普及対象が非常に広範囲である。
【０００４】
このような携帯端末機においては、多様な方式の蓋開閉装置を適用するが、これを大きく分けると、ヒンジ式、スライド式、スイング式などに区分することができる。
【０００５】
前記で、特にヒンジ式蓋開閉装置は、製造が容易で、故障が少なく、使用が便利であるため、携帯端末機に最も多く適用される方式の１つである。
【０００６】
図１は従来のヒンジ式蓋開閉装置を適用した携帯端末機の一例を示したものであって、携帯端末機は、本体３と蓋６とに区分され、前記本体３にはキー入力部４及び送話部５などが備えられ、前記蓋６にはディスプレイ部７及び受話部８などが備えられる。
【０００７】
前記で、蓋６と本体３とはヒンジ式蓋開閉装置１０によって互いに連結されて開閉が行われる。
【０００８】
従来のヒンジ式蓋開閉装置１０は、図２及び図３に示したように、一側面が開口された筒形状からなる外筒１１と、前記外筒１１の内部に一側端部が回転可能に組立てられる固定カム１２と、前記外筒１１の内部に長さ方向に沿って移動可能に組立てられて設けられる移動カム１４と、前記外筒１１の内部に設けられて、前記固定カム１２と移動カム１４とが常に互いに接するように力を加える弾性部材１６と、前記外筒１１と固定カム１２とを回転可能な状態に結合させて支持するヒンジ軸１８とから構成される。
【０００９】
前記で、外筒１１は、蓋６の縁部の中央に形成される上部組立片６ａの孔６ｂに組立てられ、固定カム１２は、携帯端末機本体３の縁部の両側に形成される下部組立片３ａの孔３ｂに組立てられる。
【００１０】
また、前記で、固定カム１２及び移動カム１４の互いに対向する面には、図４に示したように、上り坂区間と下り坂区間とからなるカム線図を有するカム面１３、１５がそれぞれ形成される。
【発明の概要】
【発明が解決しようとする課題】
【００１１】
前記のように構成される従来の携帯端末機用ヒンジ式蓋開閉装置は、携帯端末機の蓋と本体とに上部組立片及び下部組立片がそれぞれ形成される構造であるので、携帯端末機の厚さを増加させるなどの原因となっている。
【００１２】
したがって、携帯端末機のスリム化や小型化、デザインの洗練化などが非常に難しくなる。
【００１３】
そして、携帯端末機用スライド式蓋開閉装置やスイング式蓋開閉装置に比べて外観が良くない。
【００１４】
また、上部組立片及び下部組立片が突出される構造であるため、亀裂が発生するおそれがあり、携帯端末機をスリムに製造する時には、上部組立片及び下部組立片の強度が弱くなるおそれがある。
【００１５】
それだけでなく、従来の携帯端末機用ヒンジ式蓋開閉装置は、開閉時に移動カムと回転カムとの構造上、一定の回転区間で急回転した後に本体と蓋とが互いにぶつかって急停止するため、携帯端末機のケースをはじめとした他の部品に衝撃が加えられる。
【００１６】
したがって、部品の破損や誤作動など、製品の寿命短縮を引き起こし、衝撃騒音を発生させるなど、様々な問題がある。
【００１７】
さらに、機能の多様化などによってますます大型化されていく携帯端末機の構造上、蓋の開閉時に安定的で堅固な構造が要求されると同時に、携帯端末機のスリム化やデザインの洗練化などを実現させる蓋開閉装置が必要であるのが実情である。
【００１８】
本発明は、このような点に着眼して構成されたものであって、部品が携帯端末機の外部へ露出されて設けられることによって、携帯端末機の本体や蓋に部品の設置のための空間や構造が特に必要でないので、携帯端末機のスリム化及び小型化、デザインの洗練化などが非常に容易で、強度の弱い部分をなくすことができる携帯端末機用ヒンジ式蓋開閉装置を提供することにその目的がある。
【００１９】
また、本発明の他の目的は、携帯端末機の開閉時に互いに噛み合いながら回転する案内部材によって回転速度を制御することができるので、急回転及び急停止を防止することができる携帯端末機用ヒンジ式蓋開閉装置を提供することにある。
【００２０】
さらに、本発明の他の目的は、安定的で堅固に開閉が行われるように部品を配置するので、比較的重量が大きかったり大型の携帯端末機に適した携帯端末機用ヒンジ式蓋開閉装置を提供することにある。
【課題を解決するための手段】
【００２１】
本発明が提案する携帯端末機用ヒンジ式蓋開閉装置は、一定の間隔をおいて設けられる一対のヒンジ軸と、前記ヒンジ軸に長さ方向に沿って一定の間隔をおいて固定設置されて、前記ヒンジ軸が互いの周囲を回転運動するように案内する一対以上の案内部材と、前記ヒンジ軸に長さ方向に沿って一定の間隔をおいて設けられて、前記ヒンジ軸を一定の角度範囲内で互いの周囲を自動で回転運動させる１つ以上のカム作動部とを含んで構成される。
【００２２】
前記カム作動部は、前記案内部材のうちの少なくともいずれか１つに一体に回転可能に設けられる１つ以上の回転カムと、前記ヒンジ軸に長さ方向に沿って一定の間隔をおいて移動可能に設けられて、前記回転カムとそれぞれ互いに接して密着する１つ以上の移動カムと、前記移動カムと回転カムとが常に互いに接して密着するように前記移動カムに力を加える１つ以上の弾性部材とを含んで構成される。
【００２３】
前記ヒンジ軸は、長さ方向に沿って一定の間隔をおいて設けられて、支持部材によって互いに対向する側の端部がそれぞれ回転可能な状態に連結される左ヒンジ軸と右ヒンジ軸とからそれぞれ構成されることもできる。
【００２４】
前記案内部材は、前記ヒンジ軸に中心部がそれぞれ固定される歯車を使用して構成される。
【００２５】
前記カム作動部の弾性部材は、前記ヒンジ軸の外周面の周囲に螺旋形に巻かれるように形成して設けられる圧縮コイルスプリングを使用して構成される。
【００２６】
また、本発明は、前記ヒンジ軸を携帯端末機の本体と蓋とにそれぞれ固定する一対の固定部材をさらに含んで構成されることもでき、前記案内部材とカム作動部とを一定の間隔をおいて外部から囲んで覆うケース部材をさらに含んで構成されることもできる。
【発明の効果】
【００２７】
本発明による携帯端末機用ヒンジ式蓋開閉装置によれば、従来のヒンジ式蓋開閉装置を適用した携帯端末機の本体と蓋とに形成される上部組立片及び下部組立片の構成が必要なくなるため、携帯端末機のスリム化及び小型化、デザインの洗練化などが非常に容易になる。そして、強度の弱い部分をなくすことができるので、携帯端末機の寿命を延ばすこともできる。さらに、スライド式蓋開閉装置やスイング式蓋開閉装置と同様に優れた外観を提供することもできる。
【００２８】
本発明による携帯端末機用ヒンジ式蓋開閉装置によれば、互いに噛み合う歯車によってヒンジ軸が周囲を回転するので、携帯端末機の開閉速度を緩和して、比較的一定の回転速度を維持することもできる。
【００２９】
したがって、蓋の開閉動作がスムーズで自然に行われて、蓋の開閉時に発生する衝撃が減少するので、使用者の便宜性が向上して、携帯端末機の寿命を長く延ばすこともできる。また、蓋と本体とが強くぶつからないため、従来の蓋と本体とが接する時に発生する騒音による被害を防止することができる。
【００３０】
本発明による携帯端末機用ヒンジ式蓋開閉装置によれば、ヒンジ軸の両端に案内部材をそれぞれ設置し、一対のカム作動部を対称形に設けて、ヒンジ軸を左ヒンジ軸と右ヒンジ軸とから構成することによって、ノートパソコン、ＤＭＢ、ＰＭＰ、ナビゲーション、携帯用ＴＶなど、比較的重量が大きかったり大型の携帯端末機に適用する場合にも、開閉動作が円滑で安定的に行われて、堅固な構造を有する。
【００３１】
本発明による携帯端末機用ヒンジ式蓋開閉装置によれば、携帯端末機の本体と蓋とを３６０度まで開放することもできるので、蓋を開けなくても画面が見られるなど、使用者の便宜性が大きく向上する。
【図面の簡単な説明】
【００３２】
【図１】従来の携帯端末機用ヒンジ式蓋開閉装置を示す斜視図である。
【図２】従来の携帯端末機用ヒンジ式蓋開閉装置を示す分離斜視図である。
【図３】従来の携帯端末機用ヒンジ式蓋開閉装置を示す断面図である。
【図４】従来の携帯端末機用ヒンジ式蓋開閉装置における移動カム及び回転カムを示すカム線図である。
【図５】本発明による携帯端末機用ヒンジ式蓋開閉装置の一実施例を示す斜視図である。
【図６】本発明による携帯端末機用ヒンジ式蓋開閉装置の一実施例を示す正面図である。
【図７】本発明による携帯端末機用ヒンジ式蓋開閉装置の一実施例を示す側面図である。
【図８】本発明による携帯端末機用ヒンジ式蓋開閉装置の一実施例を使用する状態を示す正面図である。
【図９】本発明による携帯端末機用ヒンジ式蓋開閉装置の一実施例を使用する状態を示す側面図である。
【図１０】本発明による携帯端末機用ヒンジ式蓋開閉装置の一実施例における回転カム及び移動カムを示す斜視図である。
【図１１】本発明による携帯端末機用ヒンジ式蓋開閉装置の一実施例におけるカム作動部を示す断面図である。
【図１２】本発明による携帯端末機用ヒンジ式蓋開閉装置の一実施例における係止片及び停止突起を示す斜視図である。
【図１３】本発明による携帯端末機用ヒンジ式蓋開閉装置の一実施例における係止片及び停止突起を示す側面図である。
【図１４】本発明による携帯端末機用ヒンジ式蓋開閉装置の一実施例におけるケース部材を示す分離斜視図である。
【図１５】本発明による携帯端末機用ヒンジ式蓋開閉装置の一実施例におけるカム作動部の作動状態を示す側面図である。
【図１６】本発明による携帯端末機用ヒンジ式蓋開閉装置の一実施例におけるカム作動部の作動状態を示す正面図である。
【図１７】本発明による携帯端末機用ヒンジ式蓋開閉装置の一実施例におけるカム作動部の作動状態を示すカム線図である。
【図１８】本発明による携帯端末機用ヒンジ式蓋開閉装置の第２実施例を示す斜視図である。
【図１９】本発明による携帯端末機用ヒンジ式蓋開閉装置の第２実施例を示す断面図である。
【発明を実施するための形態】
【００３３】
本発明によるヒンジ式蓋開閉装置の一実施例は、図５〜図７に示したように、一対の固定部材３０と、前記固定部材３０にそれぞれ連結固定される一対のヒンジ軸４０と、前記ヒンジ軸４０が互いの周囲を回転するように案内する一対の案内部材５０と、前記ヒンジ軸４０が一定の角度範囲内で互いの周囲を自動で回転するようにするカム作動部６０とを含んで構成される。
【００３４】
前記固定部材３０は、ほぼ「コ」字型に形成される。
【００３５】
つまり、前記固定部材３０は、一定の間隔をおいて形成される一対のヒンジ連結部３１と、前記ヒンジ連結部３１とともにほぼ「コ」字型をなすように、ヒンジ連結部３１の一側端部に連結する固定部３２とから構成される。
【００３６】
前記ヒンジ連結部３１の他側端部には、前記ヒンジ軸４０の両端が直角をなしてそれぞれ連結固定される。
【００３７】
前記で、一対の固定部材３０のうちの少なくとも１つは、側面から見る時、前記ヒンジ連結部３１をほぼ「Ｖ」字型に曲がるように形成することもできる。
【００３８】
また、前記で、一対の固定部材３０のうち少なくとも１つは、側面から見る時、前記固定部３２を前記ヒンジ連結部３１の他側端部から一側へ直角に曲がるように形成することもできる。
【００３９】
図８及び図９に示したように、前記一対の固定部材３０のうちの１つは携帯端末機２０の本体２２に固定され、他の１つは携帯端末機２０の蓋２６に固定される。
【００４０】
前記ヒンジ軸４０は、金属などのように強度が優れた材質を使用して構成され、ほぼ長い棒形状に形成される。
【００４１】
前記案内部材５０は、前記ヒンジ軸４０の一側端部に中心部がそれぞれ固定される歯車を使用して構成される。
【００４２】
前記案内部材５０は、金属または合成樹脂材質を使用して構成され、前記ヒンジ軸４０に一体に形成したり、別途に形成して組立てる。
【００４３】
前記カム作動部６０は、前記ヒンジ軸４０と一体に回転可能に設けられる一対の回転カム６１と、前記ヒンジ軸４０に長さ方向に沿って移動可能に設けられて、前記回転カム６１とそれぞれ互いに接して密着する１つ以上の移動カム７０と、前記移動カム７０と回転カム６１とが常に互いに接して密着するように前記移動カム７０に力を加える１つ以上の弾性部材８０と、前記移動カム７０と互いに前記弾性部材８０を介在して設けられて、弾性部材８０の弾性力を支持する支持部材１００とを含んで構成される。
【００４４】
前記回転カム６１は、前記案内部材５０の一端面から前記ヒンジ軸４０の外周面に沿ってほぼのこぎりの歯形状にそれぞれ伸びて形成される。
【００４５】
前記移動カム７０は、一対の前記ヒンジ軸４０に長さ方向に沿って移動可能に形成して設けられる移動本体７１の一側面からヒンジ軸４０の外周面の周囲に沿ってほぼのこぎりの歯形状にそれぞれ伸びて形成される。
【００４６】
前記で、回転カム６１及び移動カム７０の構成は、一般に携帯端末機に幅広く使用される回転カム及び移動カムと同様な構成に実施することもできる。
【００４７】
前記回転カム６１及び移動カム７０は、それぞれ一対ずつ設けることを説明したが、本発明はこれに限定されず、それぞれ１つずつ設けることもできる。
【００４８】
前記弾性部材８０は、前記ヒンジ軸４０の外周面の周囲に螺旋形に巻かれるように形成して設けられる圧縮コイルスプリングを使用して構成される。
【００４９】
前記支持部材１００は、ほぼ「コ」字型に形成される。
【００５０】
つまり、前記支持部材１００は、前記ヒンジ軸４０の長さ方向に沿って一定の間隔をおいて設けられて、前記ヒンジ軸４０がそれぞれ貫通して設けられる一対の水平部１０１と、前記水平部１０１とほぼ「コ」字型をなすように水平部１０１の一側端部を互いに連結して固定する垂直部１０２とから構成される。
【００５１】
前記で、弾性部材８０は、前記支持部材１００の一側に位置する水平部１０１と前記移動カム７０との間に位置するように設けられる。
【００５２】
前記ヒンジ軸４０には、前記支持部材１００が前記弾性部材８０の弾性力によって後へ押されずに前記ヒンジ軸４０の一定の位置に固定されるように、一対の支持環１０４をそれぞれ設けることもできる。
【００５３】
前記支持環１０４は、ほぼ「Ｅ」字型の金属環（Ｅ-ｒｉｎｇとも言う）などを使用して構成される。
【００５４】
前記で、カム作動部６０は、図１１に示したように、前記移動カム７０及び弾性部材８０を囲んで保護する外筒９０をさらに含んで構成されることもできる。
【００５５】
前記のように構成される本発明による携帯端末機用ヒンジ式蓋開閉装置の一実施例では、図１２及び図１３に示したように、前記ヒンジ軸４０の外周面には、円周に沿って扇形状に突出して形成される一対の係止片４３がそれぞれ突出して形成され、前記支持部材１００の水平部１０１のうちの１つには、前記係止片４３の両端角部の間に位置する一対の停止突起１０３がそれぞれ形成されることもできる。
【００５６】
前記のように係止片４３と停止突起１０３とを形成すれば、前記ヒンジ軸４０の回転運動が可能な角度範囲を設定することができ、それに基づいて携帯端末機２０の開閉可能な角度範囲を設定することもできる。
【００５７】
なお、前記のように構成される本発明による携帯端末機用ヒンジ式蓋開閉装置の一実施例では、図１４に示したように、前記案内部材５０とカム作動部６０とを一定の間隔をおいて外部から囲んで覆うケース部材１２０をさらに含んで構成されることもできる。
【００５８】
前記ケース部材１２０は、第１ケース部材１２１と第２ケース部材１２２とにそれぞれ分けられて形成され、使用する時に互いに組み立てて固定することもできる。
【００５９】
また、前記のように構成される本発明による携帯端末機用ヒンジ式蓋開閉装置の一実施例では、図面には示していないが、前記案内部材５０を二対に構成して、前記ヒンジ軸４０の両端にそれぞれ設けたり、前記カム作動部６０を一対に構成して、前記ヒンジ軸４０の両側に対称形に設けることもできる。
【００６０】
そして、本発明による携帯端末機用ヒンジ式蓋開閉装置の他の実施例は、図１８及び図１９に示したように、前記ヒンジ軸４０は左ヒンジ軸４１と右ヒンジ軸４２とからそれぞれ構成して、支持部材１１０に回転可能な状態に互いに連結し、前記案内部材５０は二対に構成して、前記左ヒンジ軸４１及び右ヒンジ軸４２にそれぞれ固定設置し、前記カム作動部６０は一対に構成して、前記左ヒンジ軸４１と右ヒンジ軸４２とに互いに対称になるように設けることもできる。
【００６１】
前記左ヒンジ軸４１と右ヒンジ軸４２とは、長さ方向に沿って一定の間隔をおいて設けられ、前記支持部材１１０によって対向する側の端部がそれぞれ回転可能な状態に連結される。
【００６２】
前記左ヒンジ軸４１と右ヒンジ軸４２との支持部材１１０と連結される反対側の端部は、前記固定部材３０のヒンジ連結部３１にそれぞれ連結固定される。
【００６３】
前記支持部材１１０は、一定の間隔をおいて設けられ、前記左ヒンジ軸４１と右ヒンジ軸４２とがそれぞれ貫通して設けられる一対の水平部１１１と、前記一対の水平部１１１の間に形成されて、前記左ヒンジ軸４１と右ヒンジ軸４２との互いに対向する端部がそれぞれ回転可能に挿入される挿入孔１１５が形成される水平支持部１１４と、前記水平部１１１及び水平支持部１１４とほぼ「コ」字型をなすように水平部１１１及び水平支持部１１４の一側端部を互いに連結して固定する垂直部１１６とから構成される。
【００６４】
前記で、左ヒンジ軸４１と右ヒンジ軸４２とには、前記水平部１１１との結合状態が維持されるように一対の支持環１１８がそれぞれ設けられることもできる。
【００６５】
前記他の実施例においても、前記構成以外は前記一実施例と同様な構成で実施することができるので、詳細な説明は省略する。
【００６６】
次に、本発明による携帯端末機用ヒンジ式蓋開閉装置の作動過程を図面を参照して詳しく説明する。
【００６７】
まず、携帯端末機２０の蓋２６を閉鎖した状態から開放する場合には、蓋２６を反時計方向に回転させる（図１５参照）。
【００６８】
前記のように蓋２６を回転させれば、前記蓋２６に固定される固定部材３０及びヒンジ軸４０が共に回転し、その結果、ヒンジ軸４０に設けられる案内部材５０が互いに噛み合って回転する。
【００６９】
そして、前記案内部材５０が回転することによって、前記回転カム６１と移動カム７０とは互いに噛み合った状態から外れた状態になり、前記移動本体７１は、前記弾性部材８０の押し付ける力に逆らって前記回転カム６１と離れる方向に後進する（図１６及び図１７参照）。
【００７０】
前記蓋２６が反時計方向に回転し続けると、前記回転カム６１と移動カム７０とは前記弾性部材８０の押し付ける力によって分離され、前記案内部材５０及びヒンジ軸４０、固定部材３０が自動で回転して蓋２６が開かれる。
【００７１】
前記携帯端末機２０の蓋２６を開放した状態から閉鎖する場合には、前記蓋２６と固定部材３０、ヒンジ軸４０、案内部材５０とが反時計方向に回転することを除いては、蓋２６を開放する時と同様に動作が進められるので、詳細な説明は省略する。
【００７２】
前記では、本発明による携帯端末機用ヒンジ式蓋開閉装置の好ましい実施例について説明したが、本発明はこれに限定されるわけではなく、特許請求の範囲、発明の詳細な説明、添付した図面の範囲内で多様に変形して実施することができ、これもまた本発明の範囲内に属する。
【産業上の利用可能性】
【００７３】
本発明によるヒンジ式蓋開閉装置は、携帯用移動通信端末機、ノートパソコン、ＰＤＡ、電子手帳、携帯用ゲーム機など、フォルダー式で開閉する方式の多様な電子製品のヒンジに適用することができる。
【符号の説明】
【００７４】
２０    携帯端末機
２２    本体
２６    蓋
３０    固定部材
３１    ヒンジ連結部
３２    固定部
４０    ヒンジ軸
４１    左ヒンジ軸
４２    右ヒンジ軸
４３    係止片
５０    案内部材
６０    カム作動部
６１    回転カム
７０    移動カム
７１    移動本体
８０    弾性部材
９０    外筒
１００    支持部材
１０１、１１１    水平部
１０２    垂直部
１０３    停止突起
１０４、１１８    支持環
１１０    支持部材
１１４    水平支持部
１１５    挿入孔
１１６    垂直部
１２０    ケース部材
１２１    第１ケース部材
１２２    第２ケース部材
【図１】
2010518774.tif 000003
【図２】
2010518774.tif 000004
【図３】
2010518774.tif 000005
【図４】
2010518774.tif 000006
【図５】
2010518774.tif 000007
【図６】
2010518774.tif 000008
【図７】
2010518774.tif 000009
【図８】
2010518774.tif 000010
【図９】
2010518774.tif 000011
【図１０】
2010518774.tif 000012
【図１１】
2010518774.tif 000013
【図１２】
2010518774.tif 000014
【図１３】
2010518774.tif 000015
【図１４】
2010518774.tif 000016
【図１５】
2010518774.tif 000017
【図１６】
2010518774.tif 000018
【図１７】
2010518774.tif 000019
【図１８】
2010518774.tif 000020
【図１９】
2010518774.tif 000021
【国際調査報告】
2010518774.tif 000022
2010518774.tif 000023